(57)【要約】【課題】搭乗者による煩雑な作業を伴うことなく、確実に、電話を用いて行った会話が録音されないようにした「ドライブレコーダシステム、および、ドライブレコーダシステムによるファイル生成方法」を提供する。【解決手段】ドライブレコーダシステム１のドライブレコーダ３は、カメラ８から映像信号を入力し、ドライブレコーダ用マイク９から音声信号を入力し、映像データおよび音声データを含むファイルを生成して記憶部３０に記憶させるファイル生成部２１と、車載装置２から、携帯電話４の使用の開始を示す開始検出信号を入力してから、携帯電話４の使用の終了を示す終了検出信号を入力するまでの間、少なくとも電話を使用して行われた会話の音声に対応する音声信号のファイル生成部２１への出力を停止する音声停止部２３とを備え、搭乗者により携帯電話４が使用されている期間、電話を使用して行われた会話が録音されることを禁止する。【選択図】図１
2019061624.tif 000002
【特許請求の範囲】
【請求項１】
車両に設けられたドライブレコーダと、前記ドライブレコーダと通信可能な制御装置とを備えるドライブレコーダシステムであって、
前記制御装置は、
車内に存在する電話の使用の開始、終了を検出する使用状態検出部を備え、
前記ドライブレコーダは、
データを記憶可能な記憶部と、
車両に設けられたカメラから映像信号を入力すると共に、車両に設けられたマイクから音声信号を入力し、映像信号および音声信号に基づいて映像データおよび音声データを含むファイルを生成し、前記記憶部に記憶させるファイル生成部と、
前記制御装置の前記使用状態検出部により電話の使用の開始が検出されてから電話の使用の終了が検出されるまでの間、前記マイクに収音される音声のうち、少なくとも電話を使用して行われた会話の音声に対応する音声信号の前記ファイル生成部への出力を停止する音声停止部と、
を備えることを特徴とするドライブレコーダシステム。
【請求項２】
前記音声停止部は、
前記制御装置の前記使用状態検出部により電話の使用の開始が検出されてから電話の使用の終了が検出されるまでの間、前記ファイル生成部への音声信号の出力のオン／オフを切り替えるスイッチをオフする
ことを特徴とする請求項１に記載のドライブレコーダシステム。
【請求項３】
前記音声停止部は、
前記制御装置の前記使用状態検出部により電話の使用の開始が検出されてから電話の使用の終了が検出されるまでの間、前記マイクから前記ファイル生成部に出力される音声信号から、電話を使用して行われた会話の音声を少なくとも含む音声に対応する音声信号を除去する
ことを特徴とする請求項１に記載のドライブレコーダシステム。
【請求項４】
前記音声停止部は、
前記制御装置の前記使用状態検出部により電話の使用の開始が検出されてから電話の使用の終了が検出されるまでの間、電話を使用して行われた会話の音声を少なくとも含む音声の音声信号の波形と逆位相の波形の逆位相信号を生成し、生成した前記逆位相信号を、前記マイクから前記ファイル生成部に出力される音声信号と混合する
ことを特徴とする請求項３に記載のドライブレコーダシステム。
【請求項５】
前記制御装置は、車両に設けられた車載装置、または、車両に搭乗する搭乗者が車両に持ち込んだ携帯電話である
ことを特徴とする請求項１から４のいずれか１項に記載のドライブレコーダシステム。
【請求項６】
車両に設けられたカメラから映像信号を入力すると共に、車両に設けられたマイクから音声信号を入力し、映像信号および音声信号に基づいて映像データおよび音声データを含むファイルを生成し、記憶部に記憶させるファイル生成部を有するドライブレコーダと、前記ドライブレコーダと通信可能な制御装置とを備えるドライブレコーダシステムによるファイル生成方法であって、
前記制御装置の使用状態検出部が、車内に存在する電話の使用の開始を検出する第１のステップと、
前記ドライブレコーダの音声停止部が、前記制御装置の前記使用状態検出部による電話の使用の開始の検出に応じて、前記マイクに収音される音声のうち、少なくとも電話を使用して行われた会話の音声に対応する音声信号の前記ファイル生成部への出力を停止する第２のステップと、
前記制御装置の前記使用状態検出部が、車内に存在する電話の使用の終了を検出する第３のステップと、
前記ドライブレコーダの前記音声停止部が、前記制御装置の前記使用状態検出部による電話の使用の終了の検出に応じて、前記ファイル生成部への音声信号の出力の停止を解除する第４のステップと、
を含むことを特徴とするドライブレコーダシステムによるファイル生成方法。
【発明の詳細な説明】
【技術分野】
【０００１】
本発明は、ドライブレコーダシステム、および、ドライブレコーダシステムによるファイル生成方法に関し、特に、映像データと共に音声データが記録されたファイルを生成して記憶するドライブレコーダシステム、および、ドライブレコーダシステムによるファイル生成方法に用いて好適なものである。
【背景技術】
【０００２】
近年、車両の走行中、車載のカメラにより撮影された映像および車載のマイクにより収音された音声を記録するドライブレコーダが普及してきている。ドライブレコーダの利用目的の１つは、事故の前後の映像および音声が記録されたファイルを記憶しておき、後に、当該ファイルを、事故の責任の所在の究明や、事故の原因究明に使用できるようにすることにある。この利用目的を達成するため、ドライブレコーダの方式として、車両の走行中、常時、カメラによる撮影およびマイクによる収音を行うと共に、所定の記憶領域に、一定時間（ファイルごとに異なっていてもよい）分の映像および音声が記録されたファイルを随時記憶していき、当該所定の記憶領域の容量がフルになった場合、新たに生成されたファイルによって、古いファイルから順番に上書きする一方、事故が発生した場合には、所定の手段でそのことを検出し、事故が発生したタイミングの前後の時間帯に対応するファイルの上書きを禁止する方式が広く採用されている。この方式によれば、記憶領域を効率的に利用しつつ、事故の前後の映像および音声が記録されたファイルについては、削除されないようにすることができる。
【０００３】
上記方式では、車両の走行中、音声の録音が、常時、行われることになる。従って、収音用のマイクが、搭乗者が発話した音声を収音可能な位置に設けられている場合、搭乗者が発話した音声が、少なくとも、一時的にはドライブレコーダに録音されることになる。ここで、地域によっては、法律等の規制によって、通話者の同意が無い場合には、電話を用いて行われた会話を録音することが禁止されている地域が存在しており、このような地域でドライブレコーダが使用される際には、搭乗者が電話を使用する場合における規制の順守が問題となる。
【０００４】
そして、特許文献１には、電話を用いて行われた会話の録音を制限する技術について記載されている。すなわち、特許文献１に係る携帯電話端末は、着信時に受け取る情報に含まれる地域識別コードに基づいて、発呼元の電話が使用される地域に、電話を用いて行われた会話の録音に対する規制が有るか否かを判別し、規制がある場合には、自身が有するメモリへの会話の録音の禁止を含む、規制内容に対応する処理を行う。この特許文献１によれば、発信元の電話が、電話を用いて行われた会話の録音を禁止する地域で使用されている場合に、着呼先の電話のメモリに、電話を用いて行われた会話が録音されないようにすることができる。
【０００５】
また、特許文献２には、ヘッドセットを用いてユーザが行った会話の録音を制限する技術について記載されている。すなわち、特許文献２に係るヘッドセットは、会話を録音する際に、会話の録音が許可される場合の条件として事前に設定された条件を満たすか否かを判定し、条件を満たす場合にのみ、会話の録音を実行する。この特許文献２によれば、会話の録音が許可されない状況下で、ヘッドセットにより会話が録音されてしまうことを防止することができる。
【先行技術文献】
【特許文献】
【０００６】
【特許文献１】特開２００１−１９７１９４号公報
【特許文献２】特開２００５−２６０９４４号公報
【発明の概要】
【発明が解決しようとする課題】
【０００７】
上述した特許文献１では、発信元の電話が、電話を用いて行われた会話の録音を禁止する地域で使用されている場合に、着呼先の電話のメモリに、電話を用いて行われた会話が録音されないようにすることはできるものの、このような場合に、電話とは独立したドライブレコーダによって会話が録音されないようにすることはできない。同様に、上述した特許文献２では、会話の録音が許可されない状況下で、ヘッドセットにより会話が録音されてしまうことを防止することはできるものの、ヘッドセットとは独立したドライブレコーダによって会話が録音されないようにすることはできない。
【０００８】
ここで、車両の搭乗者が電話を用いて行った会話がドライブレコーダによって録音されないようにするために、搭乗者自身が、ドライブレコーダを操作して、電話を使用するときに録音機能をオフし、電話の使用が終わったときに、当該機能をオンするようにすることが可能である。しかしながら、この作業は、電話を使用するたびに行う必要があり煩雑であり、また、運転手が、例えばハンズフリーシステム等を用いて電話を使用する場合に、車両を運転していることに起因してこの作業が行えないこともある。この作業を行えない場合、着信があったのにもかかわらず、電話に応答することができない、という事態が生じることになり、運転手の不利益となり得る。
【０００９】
本発明は、このような問題を解決するために成されたものであり、搭乗者による煩雑な作業を伴うことなく、搭乗者が電話を使用するときに、確実に、電話を使用して行われた会話が録音されないようにすることを目的とする。
【課題を解決するための手段】
【００１０】
上記した課題を解決するために、本発明では、車両に設けられたドライブレコーダと、ドライブレコーダと通信可能な制御装置とを備えるドライブレコーダシステムにおいて、制御装置は、車内に存在する電話の使用の開始、終了を検出する。また、ドライブレコーダは、車両に設けられたカメラから映像信号を入力すると共に、車両に設けられたマイクから音声信号を入力し、映像信号および音声信号に基づいて映像データおよび音声データを含むファイルを生成し、記憶部に記憶させる一方、制御装置により電話の使用の開始が検出されてから電話の使用の終了が検出されるまでの間、マイクに収音される音声のうち、少なくとも電話を使用して行われた会話の音声に対応する音声信号が、ファイルを生成する手段に出力されるのを停止する。
【発明の効果】
【００１１】
上記のように構成した本発明によれば、制御装置によって、車内に存在する電話の使用の開始、終了が検出された上で、電話の使用の開始から終了までの間は、自動で、電話を使用して行われた会話の音声に対応する音声信号のファイルを生成する手段への出力が停止され、これにより、当該会話の音声が記録されたファイルがドライブレコーダに記憶されることが防止される。これにより、搭乗者による煩雑な作業を伴うことなく、搭乗者が電話を使用するときに、確実に、電話を使用して行われた会話が録音されないようにすることができる。
【図面の簡単な説明】
【００１２】
【図１】本発明の第１実施形態に係るドライブレコーダシステムの機能構成例を示すブロック図である。
【図２】本発明の第１実施形態に係るドライブレコーダシステムの車載装置およびドライブレコーダの動作例を示すフローチャートである。
【図３】本発明の第２実施形態の変形例に係るドライブレコーダシステムの機能構成例を示すブロック図である。
【図４】本発明の第３実施形態に係るドライブレコーダシステムの機能構成例を示すブロック図である。
【発明を実施するための形態】
【００１３】
＜第１実施形態＞
以下、本発明の第１実施形態を図面に基づいて説明する。図１は、本実施形態に係るドライブレコーダシステム１の機能構成例を示すブロック図である。ドライブレコーダシステム１は、車両に設けられたシステムであり、図１に示すように、車載装置２（特許請求の範囲の「制御装置」に相当）とドライブレコーダ３とを備えている。
【００１４】
車載装置２は、車両のダッシュボードや、センターコンソール等に設けられた装置であり、車内に音声を放音するスピーカ５と、車両の搭乗者の発話を収音するために設けられた車載装置用マイク６と、画像を表示すると共に搭乗者のタッチ操作を受け付けるタッチパネル７とに接続されている。
【００１５】
図１に示すように、車載装置２は、機能構成として、第１通信部１０、第２通信部１１、ハンズフリー通話部１２および使用状態検出部１３を備えている。各機能ブロック１０〜１３は、ハードウェア、ＤＳＰ（Digital Signal Processor）、ソフトウェアの何れによっても構成することが可能である。例えばソフトウェアによって構成する場合、上記各機能ブロック１０〜１３は、実際にはコンピュータのＣＰＵ、ＲＡＭ、ＲＯＭなどを備えて構成され、ＲＡＭやＲＯＭ、ハードディスクまたは半導体メモリ等の記録媒体に記憶されたプログラムが動作することによって実現される。このことは、後述する他の機能ブロックについても同様である。
【００１６】
第１通信部１０は、Bluetooth（登録商標）に従って、搭乗者により車両に持ち込まれた携帯電話４と通信リンクを確立し、携帯電話４と無線通信する。より詳細には、携帯電話４と車載装置２との間で、所定のタイミングでペアリングが適切に行われており、第１通信部１０は、携帯電話４が通信可能な範囲に位置したときに、そのことを検出し、Bluetoothの手順に従って携帯電話４との間で通信リンクを確立し、携帯電話４と車載装置２との間でBluetoothに従った無線通信が可能な状態を構築する。この携帯電話４には、事前に、専用のアプリケーション（以下、「専用アプリケーション」という）がインストールされている。専用アプリケーションの機能については後述する。なお、携帯電話４と車載装置２との間での通信に使用する通信規格はBluetoothに限らず何でもよい。有線通信であってもよい。
【００１７】
第２通信部１１は、所定の通信規格に従って、ドライブレコーダ３と通信する。所定の通信規格は、何でもよく、有線通信に係る規格でも、無線通信に係る規格でもよい。所定の通信規格は、例えば、ＵＳＢ、イーサネット（登録商標）、Bluetooth、Wi-Fi（登録商標）である。
【００１８】
ハンズフリー通話部１２は、搭乗者によるハンズフリー通話を実現する。ハンズフリー通話は、既存の技術を用いて行われるため、以下、ハンズフリー通話部１２の処理を簡潔に説明する。ハンズフリー通話部１２は、携帯電話４にインストールされた専用アプリケーションと通信し、携帯電話４と他の電話との間で通信回線が接続されているときに、受話音声を携帯電話４から受信してスピーカ５によって車内に放音すると共に、搭乗者が発した送話音声を車載装置用マイク６によって収音して携帯電話４に送信することより、ハンズフリー通話を実現する。なお、本実施形態では、携帯電話４への呼び出しに対する応答の指示、および、通信回線の接続の終了の指示は、ハンズフリー通話部１２がタッチパネル７に表示したユーザインターフェースに対するタッチ操作により行われる。車載装置２に音声認識機能や、ジェスチャー認識機能を設け、上記指示が、音声やジェスチャーにより行われる構成でもよい。
【００１９】
使用状態検出部１３は、携帯電話４の使用の開始、終了を検出する。以下、使用状態検出部１３の処理について詳述する。使用状態検出部１３は、ハンズフリー通話部１２の処理を監視し、携帯電話４と他の電話との間で通信回線の接続が開始されたか否かを判定する。通信回線の接続が開始された場合は、携帯電話４に対して呼び出しがあり、搭乗者がそれに応答したか、または、搭乗者が携帯電話４により他の電話を呼び出し、呼び出し先の相手がそれに応答した状態であり、携帯電話４の使用が開始されたとみなすことができる。
【００２０】
通信回線の接続が開始された後、使用状態検出部１３は、ハンズフリー通話部１２の処理を監視し、携帯電話４と他の電話との間での通信回線の接続が終了したか否かを判定する。通信回線の接続が終了した場合は、搭乗者または通話の相手が、電話を切った状態であり、携帯電話４の使用が終了したとみなすことができる。
【００２１】
使用状態検出部１３は、携帯電話４の使用が開始されたことを検出した場合、開始検出信号をドライブレコーダ３に送信する。また、使用状態検出部１３は、携帯電話４の使用が終了したことを検出した場合、終了検出信号をドライブレコーダ３に送信する。使用状態検出部１３が、携帯電話４の使用が開始されたことを検出してから、使用が終了したことを検出するまでの期間（＝使用状態検出部１３が開始検出信号を送信してから、終了検出信号を送信するまでの期間）は、搭乗者によって、携帯電話４を用いて会話が行われる可能性があり、逆に、この期間以外の期間は、搭乗者によって、携帯電話４を用いた会話は行われない。
【００２２】
なお、搭乗者によるハンズフリー通話を制御するハンズフリー通話部１２が、通信回線の接続の開始時、および、終了時に、使用状態検出部１３に対して所定の信号を出力し、使用状態検出部１３が、ハンズフリー通話部１２から入力する信号に基づいて、携帯電話４の使用が開始されたこと、および、携帯電話４の使用が終了したことを検出する構成でもよい。
【００２３】
図１に示すように、ドライブレコーダ３は、カメラ８と、ドライブレコーダ用マイク９（特許請求の範囲の「マイク」に相当）とに接続されている。カメラ８は、車両の前方を撮影する撮影装置であり、例えば、フロントウィンドシールドの上部に設けられる。カメラ８は、車両の走行中、継続して撮影を実行し、映像信号をドライブレコーダ３に出力する。なお、カメラ８は、車両の前方を撮影する撮影装置に限らず、車両の側方や、後方を撮影する撮影装置を含んでいてもよい。また、ドライブレコーダ用マイク９は、音声を収音する収音装置である。本実施形態に係るドライブレコーダ用マイク９は、車内において、車両の搭乗者が発話した場合に、発話の音声が収音されるような位置に設けられている。ドライブレコーダ用マイク９は、車両の走行中、継続して音声を収音し、音声信号をドライブレコーダ３に出力する。
【００２４】
ドライブレコーダ３は、車両の走行中（本実施形態では、エンジンスイッチがオンされている間）、カメラ８により撮影された映像およびドライブレコーダ用マイク９により収音された音声を記録（録画、録音）する装置であり、機能構成として、通信部２０、ファイル生成部２１、事故検出部２２および音声停止部２３を備えている。また、ドライブレコーダ３は、スイッチＳおよび記憶部３０を備えている。
【００２５】
通信部２０は、所定の通信規格に従って、車載装置２と通信する。
【００２６】
記憶部３０は、ハードディスクや、フラッシュメモリ等の記憶媒体を備え、各種データを記憶する。記憶部３０には、後述する記録ファイル（特許請求の範囲の「ファイル」に相当）を記憶するための記憶領域が確保されている。
【００２７】
ファイル生成部２１は、カメラ８から映像信号を入力すると共に、ドライブレコーダ用マイク９から音声信号を入力し、映像信号および音声信号に基づいて映像データおよび音声データを含む記録ファイルを生成し、記憶部３０に記憶させる。詳述すると、ファイル生成部２１は、映像信号をアナログ／デジタル変換すると共に、所定の映像コーデックにより圧縮し、所定のデータ形式の映像データを生成する。これと並行して、ファイル生成部２１は、音声信号をアナログ／デジタル変換すると共に、所定の音声コーデックにより圧縮し、所定のデータ形式の音声データを生成する。映像データおよび音声データの生成に応じて、ファイル生成部２１は、映像データと音声データとが多重化された所定のコンテナ形式（例えば、ＭＰ４や、ＭＰＥＧ）の動画ファイルを、記録ファイルとして生成する。
【００２８】
ファイル生成部２１は、記録ファイルの生成を一定期間ごとに行う。この結果、ファイル生成部２１により、一定期間ごとに、一定期間の間にカメラ８により撮影された映像およびドライブレコーダ用マイク９により収音された音声が記録された記録ファイルが生成される。ファイル生成部２１は、記録ファイルのメタデータに、記録ファイルを生成した日時を記述すると共に、オフ状態の上書き禁止フラグ（後述）を記述する。
【００２９】
ファイル生成部２１は、記憶部３０の所定の記憶領域に、生成した記録ファイルを巡回的に記憶していく。すなわち、ファイル生成部２１は、新たに記録ファイルを生成するたびに、随時、記録ファイルを当該所定の記憶領域に記憶する。ファイル生成部２１は、当該所定の記憶領域がフルとなった場合、当該所定の記憶領域に記憶された記録ファイルのうち、古いものから優先的に、新たな記録ファイルによって上書き更新する。その際、ファイル生成部２１は、メタデータの上書き禁止フラグ（後述）を参照し、当該フラグがオンの記録ファイルについては、上書きを禁止し、当該所定の記憶領域に記憶された状態を維持する。
【００３０】
事故検出部２２は、事故が発生した場合に、そのことを検出する。ドライブレコーダ３には、事故の発生を検出するための種々のセンサ、装置が接続されており、事故検出部２２は、既存の技術により適切に事故を検出する。なお、事故検出部２２が検出する事故に、衝突等の実際にアクションがあった事象だけでなく、急発進や、急ブレーキ、周囲で大きな音がしたこと等の実際にアクションは起きていないが、事故と関連するような事象を含めてもよいことは勿論である。
【００３１】
事故検出部２２は、事故を検出した場合、記憶部３０に既に記憶されている記録ファイルのうち、事故が発生したタイミングから遡って所定期間の間に生成され、記憶部３０に記憶された記録ファイルについて、上書き禁止フラグをオンする。さらに、事故検出部２２は、事故を検出した場合、事故が発生したタイミング以降の所定期間の間に生成され、記憶部３０に記憶される記憶ファイルについて、上書き禁止フラグをオンする。この結果、事故が発生したタイミングの前後の時間帯の映像、音声が記録された記録ファイルは、上書き更新されることなく、記憶部３０に記憶された状態が維持される。
【００３２】
音声停止部２３は、車載装置２の使用状態検出部１３から開始検出信号および終了検出信号を受信し、開始検出信号を受信してから終了検出信号を受信するまでの間、ドライブレコーダ用マイク９からファイル生成部２１への音声信号の出力を停止する。以下、音声停止部２３の処理について詳述する。
【００３３】
ここで、ドライブレコーダ用マイク９からファイル生成部２１へと音声信号を出力するための信号ラインにはスイッチＳが設けられている。このスイッチＳは、ファイル生成部２１への音声信号のオン／オフを切り替えるスイッチであり、オンのときに「出力」とし、オフのときに「非出力」とする。図１では、説明の便宜のため、スイッチＳを、カメラ８のブロックとファイル生成部２１のブロックとを結ぶ線上に存在するブロックにより表している。
【００３４】
上述したように、使用状態検出部１３は、携帯電話４と他の電話との通信回線の接続の開始時に開始検出信号を送信し、接続の終了時に終了検出信号を送信する。音声停止部２３は、開始検出信号を受信したときに、スイッチＳにオフ信号を出力して、スイッチＳをオフする。これにより、携帯電話４と他の電話との通信回線の接続の開始に応じて、ドライブレコーダ用マイク９からファイル生成部２１への音声信号の出力が停止される。開始検出信号を受信した後、終了検出信号を受信した場合、音声停止部２３は、スイッチＳにオン信号を出力して、スイッチＳをオンする。これにより、通信回線の接続の終了に応じて、ドライブレコーダ用マイク９からファイル生成部２１への音声信号の出力が再び開始される。
【００３５】
音声停止部２３により、以上の処理が行われる結果、携帯電話４と他の電話との間で通信回線が接続されている期間、ドライブレコーダ用マイク９からファイル生成部２１への音声信号の出力が停止される。従って、当該期間にドライブレコーダ用マイク９が収音した音声が記録された音声データは生成されない。これにより、以下の効果を奏する。すなわち、携帯電話４と他の電話との間で通信回線が接続されている期間は、搭乗者が携帯電話４を使用して会話を行う可能性がある期間である。本実施形態によれば、このような期間に、ドライブレコーダ用マイク９が収音した音声が記録された音声データは生成されないため、搭乗者が携帯電話４を使用して行った会話の音声が記録された音声データを含む記録ファイルが記憶部３０に記憶されることがない。従って、本実施形態によれば、通話者の許可なく電話を用いて行われた会話を録音することが禁止されている規制が存在する地域でドライブレコーダ３が使用される場合に、携帯電話４を使用して行われた会話が録音されることを防止でき、当該規制を順守することができる。また、会話の録音の禁止は、搭乗者の作業を伴わず、自動で行われるため、搭乗者の利便性がよい。
【００３６】
図２は、本実施形態に係る車載装置２およびドライブレコーダ３の処理の一例を示すフローチャートである。図２のフローチャートＦＡは、車載装置２の使用状態検出部１３の動作を示し、フローチャートＦＢは、ドライブレコーダ３の音声停止部２３の動作を示している。図２のフローチャートの処理は、車両の走行中（本実施形態では、エンジンスイッチがオンされている間）、継続して実行される。
【００３７】
図２のフローチャートＦＡに示すように、使用状態検出部１３は、携帯電話４の使用が開始されたか否かを監視する（ステップＳＡ１）。携帯電話４の使用が開始された場合（ステップＳＡ１：ＹＥＳ）、使用状態検出部１３は、開始検出信号をドライブレコーダ３に送信する（ステップＳＡ２）。開始検出信号の送信後、使用状態検出部１３は、携帯電話４の使用が終了したか否かを監視する（ステップＳＡ３）。
【００３８】
携帯電話４の使用が終了した場合（ステップＳＡ３：ＹＥＳ）、使用状態検出部１３は、終了検出信号をドライブレコーダ３に送信する（ステップＳＡ４）。次いで、使用状態検出部１３は、エンジンスイッチＳがオフされたか否かを判定し（ステップＳＡ５）、停止されていない場合（ステップＳＡ５：ＮＯ）、処理手順をステップＳＡ１に戻し、停止された場合（ステップＳＡ５：ＹＥＳ）、処理を終了する。なお、フローチャートＦＡでは、説明の便宜のため、ステップＳＡ５で、エンジンスイッチＳがオフされたか否かを判定する構成としているが、使用状態検出部１３は、フローチャートＦＡの処理を実行している間、継続してエンジンスイッチがオフされたかを監視し、オフされた場合は、処理を終了する。
【００３９】
図２のフローチャートＦＢに示すように、ドライブレコーダ３の音声停止部２３は、開始検出信号を受信したか否かを監視する（ステップＳＢ１）。開始検出信号を受信した場合（ステップＳＢ１：ＹＥＳ）、音声停止部２３は、スイッチＳをオフする（ステップＳＢ２）。
【００４０】
次いで、音声停止部２３は、終了検出信号を受信したか否かを監視する（ステップＳＢ３）。終了検出信号を受信した場合（ステップＳＢ３：ＹＥＳ）、音声停止部２３は、スイッチＳをオンする（ステップＳＢ４）。
【００４１】
以上詳しく説明したように、本実施形態に係るドライブレコーダシステム１において、車載装置２は、車内に存在する電話である携帯電話４の使用の開始、終了を検出する。また、ドライブレコーダ３は、車両に設けられたカメラ８から映像信号を入力すると共に、車両に設けられたドライブレコーダ用マイク９から音声信号を入力し、映像信号および音声信号に基づいて映像データおよび音声データを含む記録ファイルを生成し、記憶部３０に記憶させる。そして、ドライブレコーダ３は、車載装置２の使用状態検出部１３により電話の使用の開始が検出されてから電話の使用の終了が検出されるまでの間、ドライブレコーダ用マイク９に収音される音声に基づく音声信号が、ファイル生成部２１（ファイルを生成する手段）に出力されるのを停止する。
【００４２】
この構成によれば、車載装置２によって、車内に存在する携帯電話４の使用の開始、終了が検出された上で、携帯電話４の使用の開始から終了までの期間は、自動で、搭乗者が行った会話の音声に対応する音声信号の出力が停止され、これにより、当該期間にドライブレコーダ用マイク９が収音した音声が記録された記録ファイルが記憶部３０に記憶されることが防止される。これにより、搭乗者による煩雑な作業を伴うことなく、搭乗者が携帯電話４を使用するときに、確実に、携帯電話４を用いて行った会話が録音されないようにすることができる。
【００４３】
＜第２実施形態＞
次に、第２実施形態について説明する。図３は、本実施形態に係るドライブレコーダシステム１Ａの機能構成例を示すブロック図である。図３において、第１実施形態で説明した構成要素に対応する構成要素については同一の符号を付し、その説明を省略する。上述した第１実施形態では、車載装置２が使用状態検出部１３を備え、携帯電話４の使用状態に応じて、開始検出信号および終了検出信号をドライブレコーダ３に送信した。
【００４４】
一方、図３に示すように、本実施形態では、ドライブレコーダ３と携帯電話４Ａとが、Bluetooth、その他の通信規格により通信可能に接続される。携帯電話４Ａの携帯電話側通信部４０は、所定の通信規格に従って、ドライブレコーダ３と通信する。さらに、携帯電話４Ａは、第１実施形態に係る使用状態検出部１３に対応する使用状態検出部１３Ａを備える。使用状態検出部１３Ａは、第１実施形態に係る使用状態検出部１３と同様、電話の使用の開始を検出した場合に開始検出信号をドライブレコーダ３に出力し、電話の使用の終了を検出した場合に終了検出信号をドライブレコーダ３に出力する。本実施形態によれば、車載装置２に電話の使用の開始および終了を検出する機能を実装することなく、電話を使用して行われた会話が録音されることを防止できる。なお、本実施形態では、携帯電話４が、特許請求の範囲の「制御装置」に相当する。
【００４５】
＜第３実施形態＞
次に、第３実施形態について説明する。図４は、本実施形態に係るドライブレコーダシステム１Ｂの機能的構成を示すブロック図である。図４において、第１実施形態で説明した構成要素に対応する構成要素については同一の符号を付し、その説明を省略する。図１と図４との比較で明らかなとおり、本実施形態に係るドライブレコーダ３Ｂは、第１実施形態に係る音声停止部２３に代えて、音声停止部２３Ｂを備える。この音声停止部２３Ｂには、車載装置用マイク６から音声信号が入力される。なお、音声停止部２３に音声信号を出力するマイクは、車載装置用マイク６でなくてもよい。すなわち、音声停止部２３に音声信号を出力するマイクは、車両の搭乗者の発話を収音可能なマイクであればよい。
【００４６】
また、本変形例に係るドライブレコーダ３は、スイッチＳに代えて、信号混合部Ｌを備える。信号混合部Ｌは、ドライブレコーダ用マイク９から音声信号を入力すると共に、音声停止部２３Ｂから逆位相信号（後述）を入力し、これら信号を混合して出力する。逆位相信号および信号混合部Ｌについては後に説明する。
【００４７】
本実施形態では、音声停止部２３Ｂは、車載装置２の使用状態検出部１３から開始検出信号を受信してから、終了検出信号を受信するまでの間、第１実施形態に係る処理に代えて以下の処理を実行する。すなわち、音声停止部２３Ｂは、車載装置用マイク６から入力する音声信号のうち、搭乗者の発話音声（搭乗者が携帯電話４を使用して行う会話の音声を含む音声）、および、スピーカ５が放音する発話音声（携帯電話と通信回線が接続された他の電話を使用する者の会話の音声）に対応する音声信号を抽出する。以下、抽出する音声信号を「会話音声信号」という。音声停止部２３Ｂは、車載装置用マイク６から入力する音声信号に、フィルタリング処理を含む音声処理を施して、走行ノイズを含む環境音や、ラジオ音声、オーディオ音声等の、人間が行った会話に基づく音声以外の音声を減衰し、また、除去することによって、会話音声信号を抽出する。
【００４８】
音声停止部２３Ｂは、会話音声信号の抽出に応じて、会話音声信号の波形と逆位相の波形の逆位相信号を生成し、信号混合部Ｌに出力する。この逆位相信号は、携帯電話４と他の電話との間で通信回線が接続されている間に、搭乗者および相手が発話した音声の音声信号と、逆位相の波形の信号である。
【００４９】
音声停止部２３Ｂは、随時、ドライブレコーダ用マイク９が出力する音声信号と同期がとられた適切なタイミングで、逆位相信号を信号混合部Ｌに出力する。信号混合部Ｌは、ドライブレコーダ用マイク９からの音声信号と、音声停止部２３Ｂからの逆位相信号とを混合することにより、ドライブレコーダ用マイク９から入力する音声信号のうち、搭乗者の発話の音声に対応する音声信号を逆位相信号によって打ち消した後、ファイル生成部２１に出力する。上述したように、逆位相信号の波形は、搭乗者が発話した音声の音声信号の波形と逆の位相であるため、ドライブレコーダ用マイク９からの音声信号と、逆位相信号とが混合されると、搭乗者の発話の音声に対応する音声信号が打ち消され除去される。
【００５０】
音声停止部２３Ｂにより以上の処理が行われる結果、開始検出信号を受信してから、終了検出信号を受信するまでの期間（＝通信回線が接続されている期間）、ファイル生成部２１に出力される音声信号には、電話を使用して行われた会話の音声に基づく音声信号が含まれない状態となる。これにより、第１実施形態と同様、当該期間で電話を使用して行われた会話が記録された記録ファイルは記憶部３０に記憶されず、搭乗者が電話を使用して行った会話が録音されないようにすることができる。
【００５１】
特に本実施形態では、通信回線が接続されている期間、ドライブレコーダ用マイク９が収音した音声のうち、電話を使用して行われた会話の音声が録音されず、他の音声については少なくとも一部は録音される。従って、上記期間に事故が発生した場合には、その事故に由来する音声の少なくとも一部については録音されることになり、第１実施形態と比べて、事故の責任の所在の究明や、事故の原因究明についての記録ファイルの有用性を高めることができる。
【００５２】
なお、本実施形態では、逆位相信号により、ドライブレコーダ用マイク９からファイル生成部２１に出力される音声信号から、搭乗者が行った会話の音声を少なくとも含む音声に対応する音声信号を除去する構成であった。ただし、ドライブレコーダ用マイク９からファイル生成部２１に出力される音声信号から、電話を使用して行われた会話の音声を少なくとも含む音声に対応する音声信号を除去する方法は、本実施形態で例示した方法に限らない。例えば、携帯電話４と通信回線が接続された他の電話を使用する者の発話音声の除去に関しては、音声停止部２３Ｂが、ハンズフリー通話部１２からスピーカ５に出力される音声信号を取得し、逆位相の信号を生成し出力する構成でもよい。
【００５３】
その他、上記各実施形態は、何れも本発明を実施するにあたっての具体化の一例を示したものに過ぎず、これによって本発明の技術的範囲が限定的に解釈されてはならないものである。すなわち、本発明はその要旨、またはその主要な特徴から逸脱することなく、様々な形で実施することができる。
【００５４】
例えば、第１実施形態では使用状態検出部１３を車載装置２が備え、第２実施形態では使用状態検出部１３Ａを携帯電話４が備える構成であるが、以下の構成でもよい。すなわち、ドライブレコーダ３と、「車載装置２および携帯電話４」以外の制御装置とを通信可能に接続する。さらに、当該制御装置と携帯電話４とを通信可能に接続する。制御装置は、例えば、ドライブレコーダ３と携帯電話４との通信を中継する装置である。そして、第１実施形態に係る使用状態検出部１３に対応する機能ブロックを、当該制御装置に設け、制御装置が携帯電話４と通信して、携帯電話４の使用状態を検出する構成でもよい。
【００５５】
また例えば、第１実施形態では、ドライブレコーダ３と接続するマイク（ドライブレコーダ用マイク９）と、車載装置２と接続するマイク（車載装置用マイク６）とは異なるマイクであったが、これらマイクを同一のマイクにより構成してもよい。
【００５６】
また例えば、携帯電話４の使用の開始、終了に応じて、車載装置２から、ドライブレコーダ３に送信する信号は、第１実施形態で説明した開始検出信号および終了検出信号に限らない。一例として、開始検出信号に代えて、ドライブレコーダ用マイク９からファイル生成部２１への音声信号の出力の停止を指示する信号を送信する構成でもよく、また、終了検出信号に代えて、ドライブレコーダ用マイク９からファイル生成部２１への音声信号の出力の開始を指示する信号を送信する構成でもよい。
【符号の説明】
【００５７】
１、１Ａ、１Ｂ  ドライブレコーダシステム
２  車載装置（制御装置）
３、３Ｂ  ドライブレコーダ
４、４Ａ  携帯電話（電話）
１３、１３Ａ  使用状態検出部
２１  ファイル生成部
２３、２３Ｂ  音声停止部
３０  記憶部
【図１】
2019061624.tif 000003
【図２】
2019061624.tif 000004
【図３】
2019061624.tif 000005
【図４】
2019061624.tif 000006